(57)【要約】  既設エレベータが稼働中に、新設エレベータのガイドレールを昇降路に設置することができるエレベータ改修方法を得る。エレベータ改修方法は、既設エレベータが昇降路に設置されている状態で、新設エレベータの第１ガイドレールを設置する第１ガイドレール設置工程を備え、第１ガイドレール設置工程では、第１ガイドレール最下段部と、第１ガイドレール最下段部の上端部に配置される第１ガイドレール二段目部とを設置し、第１ガイドレール最下段部の上端部は、ピットの底面からピット内作業可能高さまでの間に配置され、第１ガイドレール二段目部の上端部は、最下階かご上作業可能高さ以上に配置される。
2018033988.tif 000002
【特許請求の範囲】
【請求項１】
既設エレベータを新設エレベータに改修するエレベータ改修方法であって、
前記既設エレベータが昇降路に設置されている状態で、前記新設エレベータの第１ガイドレールを設置する第１ガイドレール設置工程を備え、
前記第１ガイドレール設置工程では、前記第１ガイドレールにおける最下段に配置される第１ガイドレール最下段部と、前記第１ガイドレール最下段部の上端部に配置される第１ガイドレール二段目部とを設置し、
前記第１ガイドレール最下段部の上端部は、ピットの底面から、作業者が前記ピットの中で作業可能な高さであるピット内作業可能高さまでの間に配置され、
前記第１ガイドレール二段目部の上端部は、前記既設エレベータの既設かごを最下階に配置した状態で、作業者が前記既設かごの上部で作業可能な高さである最下階かご上作業可能高さ以上に配置されるエレベータ改修方法。
【請求項２】
前記第１ガイドレール設置工程の後、前記既設エレベータを前記昇降路から撤去する既設エレベータ撤去工程と、
前記既設エレベータ撤去工程の後、前記新設エレベータの第２ガイドレールを設置する第２ガイドレール設置工程と
をさらに備え、
前記第２ガイドレール設置工程では、前記第２ガイドレールにおける最下段に配置される第２ガイドレール最下段部と、前記第２ガイドレール最下段部の上端部に配置される第２ガイドレール二段目部とを設置し、
前記第２ガイドレール最下段部の上端部は、前記ピット内作業可能高さ以上に配置される請求項１に記載のエレベータ改修方法。
【請求項３】
前記第１ガイドレール二段目部の上端部の高さは、前記第２ガイドレール二段目部の上端部の高さと一致している請求項２に記載のエレベータ改修方法。
【請求項４】
昇降路に立てられる第１ガイドレールと、
前記第１ガイドレールに対向して設けられ、前記昇降路に立てられる第２ガイドレールと
を備え、
前記第１ガイドレールは、最下段に配置される第１ガイドレール最下段部と、前記第１ガイドレール最下段部の上端部に配置される第１ガイドレール二段目部とを有し、
前記第１ガイドレール最下段部の上端部は、ピットの底面から、作業者が前記ピットの中で作業可能な高さであるピット内作業可能高さまでの間に配置され、
前記第１ガイドレール二段目部の上端部は、既設かごを最下階に配置した状態で、作業者が前記既設かごの上部で作業可能な高さである最下階かご上作業可能高さ以上に配置されるエレベータガイドレール。
【請求項５】
前記第２ガイドレールは、最下段に配置される第２ガイドレール最下段部と、前記第２ガイドレール最下段部の上端部に配置される第２ガイドレール二段目部とを設置し、
前記第２ガイドレール最下段部の上端部は、前記ピット内作業可能高さ以上に配置される請求項４に記載のエレベータガイドレール。
【請求項６】
前記第１ガイドレール二段目部の上端部の高さは、前記第２ガイドレール二段目部の上端部の高さと一致している請求項５に記載のエレベータガイドレール。
【発明の詳細な説明】
【技術分野】
【０００１】
この発明は、既設エレベータを新設エレベータに改修するエレベータ改修方法および新設エレベータのエレベータガイドレールに関する。
【背景技術】
【０００２】
従来、既設エレベータを新設エレベータに改修するエレベータ改修方法であって、既設エレベータが昇降路に設置されている状態、つまり、既設エレベータが稼働可能な状態で、新設エレベータのガイドレールを昇降路の空きスペースに設置するガイドレール設置工程と、ガイドレール設置工程の後、既設エレベータの稼働を停止し、既設エレベータを昇降路から撤去する既設エレベータ撤去工程とを備え、エレベータが使用できない時間を短縮するエレベータ改修方法が知られている（例えば、特許文献１参照）。
【先行技術文献】
【特許文献】
【０００３】
【特許文献１】特開２０１２−２４０８０１号公報
【発明の概要】
【発明が解決しようとする課題】
【０００４】
しかしながら、新設エレベータのガイドレールにおける最下段に配置されるガイドレール最下段部の上端部が、作業者がピットの中で作業可能な高さであるピット内作業可能高さと、既設エレベータの既設かごを最下階に配置した状態で作業者が既設かごの上部で作業可能な高さである最下階かご上作業可能高さとの間にある場合には、昇降路に足場を組まなければならない。昇降路に足場を組む場合には既設エレベータの稼働を停止しなければならないので、既設エレベータが稼働可能な状態で、新設エレベータのガイドレールを昇降路に設置することができないという問題点があった。【０００５】
この発明は、既設エレベータが稼働可能な状態で、新設エレベータのガイドレールを昇降路に設置することができるエレベータ改修方法およびエレベータガイドレールを提供するものである。
【課題を解決するための手段】
【０００６】
この発明に係るエレベータ改修方法は、既設エレベータを新設エレベータに改修するエレベータ改修方法であって、既設エレベータが昇降路に設置されている状態で、新設エレベータの第１ガイドレールを設置する第１ガイドレール設置工程を備え、第１ガイドレール設置工程では、第１ガイドレールにおける最下段に配置される第１ガイドレール最下段部と、第１ガイドレール最下段部の上端部に配置される第１ガイドレール二段目部とを設置し、第１ガイドレール最下段部の上端部は、ピットの底面から、作業者がピットの中で作業可能な高さであるピット内作業可能高さまでの間に配置され、第１ガイドレール二段目部の上端部は、既設エレベータの既設かごを最下階に配置した状態で、作業者が既設かごの上部で作業可能な高さである最下階かご上作業可能高さ以上に配置される。
【発明の効果】
【０００７】
この発明に係るエレベータ改修方法によれば、既設エレベータが昇降路に設置されている状態で、新設エレベータの第１ガイドレールを設置する第１ガイドレール設置工程を備え、第１ガイドレール設置工程では、第１ガイドレールにおける最下段に配置される第１ガイドレール最下段部と、第１ガイドレール最下段部の上端部に配置される第１ガイドレール二段目部とを設置し、第１ガイドレール最下段部の上端部は、ピットの底面から、作業者がピットの中で作業可能な高さであるピット内作業可能高さまでの間に配置され、第１ガイドレール二段目部の上端部は、既設エレベータの既設かごを最下階に配置した状態で、作業者が既設かごの上部で作業可能な高さである最下階かご上作業可能高さ以上に配置されるので、既設エレベータが稼働可能な状態で、新設エレベータのガイドレールを昇降路に設置することができる。
【図面の簡単な説明】
【０００８】
【図１】この発明の実施の形態１に係るエレベータを示す正面図である。
【図２】図１の第１ガイドレール最下段部を昇降路に設置する様子を示す図である。
【図３】図１の第１ガイドレール二段目部を昇降路に設置する様子を示す図である。
【図４】この発明の実施の形態１に係るエレベータ改修方法によって改修される既設エレベータを示す平面図である。
【図５】図４のエレベータ改修方法によって改修された新設エレベータを示す平面図である。
【図６】図５の新設エレベータの一部の機器を示す図である。
【発明を実施するための形態】
【０００９】
実施の形態１．
図１はこの発明の実施の形態１に係るエレベータを示す正面図である。図１では、この発明の実施の形態１に係るエレベータ改修方法を用いて既設エレベータから改修された新設エレベータを示している。エレベータは、昇降路１に立てられ互いに対向する第１ガイドレール２および第２ガイドレール３と、第２ガイドレール３に取り付けられた巻上機４とを備えている。この例では、第１ガイドレール２および第２ガイドレール３は、つり合いおもり用ガイドレールとなっている。なお、第１ガイドレール２および第２ガイドレール３は、かご用ガイドレールであってもよい。第１ガイドレール２および第２ガイドレール３から、エレベータガイドレールが構成されている。
【００１０】
第１ガイドレール２は、第１ガイドレール２における最下段に配置される第１ガイドレール最下段部２１と、第１ガイドレール最下段部２１の上端部に配置される第１ガイドレール二段目部２２と、第１ガイドレール最下段部２１と第１ガイドレール二段目部２２とを固定するレール継目２３とを有している。また、第１ガイドレール２は、第１ガイドレール二段目部２２の上端部に配置される第１ガイドレール三段目部２４と、第１ガイドレール二段目部２２と第１ガイドレール三段目部２４とを固定するレール継目２５とを有している。第１ガイドレール２は、ピット１１の底面から昇降路１の頂部まで延びて配置されている。第１ガイドレール最下段部２１の長手方向の寸法は、ピット１１の底面から最下階乗場までの寸法であるピット深さＬ１よりも長くなっている。したがって、第１ガイドレール最下段部２１の上端部は、ピット１１よりも上方に配置されている。
【００１１】
第２ガイドレール３は、第２ガイドレール３における最下段に配置される第２ガイドレール最下段部３１と、第２ガイドレール最下段部３１の上端部に配置される第２ガイドレール二段目部３２と、第２ガイドレール最下段部３１と第２ガイドレール二段目部３２とを固定するレール継目３３とを有している。また、第２ガイドレール３は、第２ガイドレール二段目部３２の上端部に配置される第２ガイドレール三段目部３４と、第２ガイドレール二段目部３２と第２ガイドレール三段目部３４とを固定するレール継目３５とを有している。第２ガイドレール３は、ピット１１の底面から昇降路１の頂部まで延びて配置されている。
【００１２】
図２は図１の第１ガイドレール最下段部２１を昇降路１に設置する様子を示す図である。第１ガイドレール最下段部２１の長手方向の寸法は、ピット１１の底面から、作業者５がピット１１の中で作業可能な高さであるピット内作業可能高さまでの間の寸法Ｌ２よりも短くなっている。したがって、昇降路１に設置された第１ガイドレール最下段部２１の上端部は、ピット１１の底面からピット内作業可能高さまでの間に配置される。ピット内作業可能高さとは、作業者５が可搬式の簡易的な足場台６に乗った状態で作業可能な高さである。この例では、ピット１１の底面からピット内作業可能高さまでの寸法Ｌ２は、２５００ｍｍとなっている。
【００１３】
第２ガイドレール最下段部３１の長手方向の寸法は、ピット１１の底面からピット内作業可能高さまでの寸法Ｌ２よりも長くなっている。したがって、第２ガイドレール最下段部３１の上端部は、ピット内作業可能高さよりも上方に配置されている。これにより、ピット内作業可能高さの範囲内で巻上機４を第２ガイドレール最下段部３１に取り付けることができる。
【００１４】
図３は図１の第１ガイドレール二段目部２２を昇降路１に設置する様子を示す図である。第１ガイドレール二段目部２２の長手方向の寸法は、第１ガイドレール最下段部２１の長手方向の寸法と第１ガイドレール二段目部２２の長手方向の寸法とを加算した寸法が、ピット１１の底面から、既設エレベータの既設かご７を最下階に配置した状態で作業者５が既設かご７の上部で作業可能な高さである最下階かご上作業可能高さまでの間の寸法Ｌ３よりも長くなるようになっている。したがって、第１ガイドレール二段目部２２が第１ガイドレール最下段部２１の上端部に配置された場合に、第１ガイドレール二段目部２２の上端部は、最下階かご上作業可能高さ以上に配置される。この例では、ピット１１の底面から最下階かご上作業可能高さまでの間の寸法Ｌ３は、ピット１１の深さ寸法Ｌ１と、２５００ｍｍとを加算した値となっている。
【００１５】
また、第２ガイドレール最下段部３１の長手方向の寸法は、ピット１１の底面から最下階かご上作業可能高さまでの間の寸法Ｌ３よりも短くなっている。
【００１６】
第２ガイドレール二段目部３２の長手方向の寸法は、第２ガイドレール最下段部３１の長手方向の寸法と第２ガイドレール二段目部３２の長手方向の寸法とを加算した寸法が、ピット１１の底面から最下階かご上作業可能高さまでの間の寸法Ｌ３よりも長くなるようになっている。したがって、第２ガイドレール二段目部３２が第２ガイドレール最下段部３１の上端部に配置された場合に、第２ガイドレール二段目部３２の上端部は、最下階かご上作業可能高さ以上に配置される。また、第２ガイドレール最下段部３１の長手方向の寸法と第２ガイドレール二段目部３２の長手方向の寸法とを加算した寸法は、第１ガイドレール最下段部２１の長手方向の寸法と第１ガイドレール二段目部２２の長手方向の寸法とを加算した寸法と同一となっている。したがって、第１ガイドレール二段目部２２の上端部の高さは、第２ガイドレール二段目部３２の上端部の高さと一致している。第１ガイドレール三段目部２４の長手方向の寸法と、第２ガイドレール三段目部３４の長手方向の寸法は同一となっている。
【００１７】
次に、この発明の実施の形態１に係るエレベータ改修方法について説明する。図４はこの発明の実施の形態１に係るエレベータ改修方法によって改修される既設エレベータを示す平面図、図５は図４のエレベータ改修方法によって改修された新設エレベータを示す平面図、図６は図５の新設エレベータの一部の機器を示す図である。この例では、エレベータ改修方法によって改修される既設エレベータは、油圧エレベータとなっている。既設エレベータは、既設かご７と、既設かご７を昇降させる油圧ジャッキ８とを備えている。エレベータ改修方法によって改修された新設エレベータは、昇降路１を昇降する新設かご９と、新設かご９と反対方向に昇降路１を昇降するつり合いおもり１０とをさらに備えている。
【００１８】
まず、第１ガイドレール設置工程を行う。第１ガイドレール設置工程では、第１ガイドレール２を昇降路１に設置する。図２に示すように、第１ガイドレール設置工程では、作業者５がピット１１の中で第１ガイドレール最下段部２１を昇降路１に設置し、さらに、作業者がピット１１の中で第１ガイドレール二段目部２２の下端部を第１ガイドレール最下段部２１の上端部に固定する。また、図３に示すように、第１ガイドレール設置工程では、作業者が最下階に停止する既設かご７の上部に乗って第１ガイドレール二段目部２２の上端部と第１ガイドレール三段目部２４の下端部とを固定する。第１ガイドレール設置工程では、既設エレベータが稼働可能な状態である。
【００１９】
第１ガイドレール設置工程の後、既設エレベータ撤去工程を行う。既設エレベータ撤去工程では、既設エレベータの稼働を停止し、既設エレベータを昇降路から撤去する。具体的には、既設かご７および油圧ジャッキ８を昇降路１から撤去する。
【００２０】
既設エレベータ撤去工程の後、第２ガイドレール設置工程を行う。第２ガイドレール設置工程では、昇降路１に足場を組み、第２ガイドレール３を昇降路１に設置する。なお、第２ガイドレール設置工程では、昇降路１に足場を組む足場工法に限らず、例えば、ゴンドラ工法を用いてもよい。第２ガイドレール設置工程では、昇降路１に組んだ足場またはゴンドラを用いるので、第２ガイドレール最下段部３１の上端部および第２ガイドレール二段目部３２の下端部が、ピット内作業可能高さよりも上方で、かつ、最下階かご上作業可能高さよりも下方にある場合であっても、第２ガイドレール最下段部３１の上端部と第２ガイドレール二段目部３２の下端部とを固定することができる。
【００２１】
第２ガイドレール３が昇降路１に設置した後、昇降路１に組まれた足場またはゴンドラを用いて、巻上機４を第２ガイドレール最下段部３１に取り付ける。その後、新設かご９およびつり合いおもり１０を昇降路１に設置する。以上により、エレベータ改修方法が終了する。
【００２２】
以上説明したように、この発明の実施の形態１に係るエレベータ改修方法によれば、既設エレベータが昇降路１に設置されている状態で、新設エレベータの第１ガイドレール２を設置する第１ガイドレール設置工程を備え、第１ガイドレール設置工程では、第１ガイドレール最下段部２１と、第１ガイドレール最下段部２１の上端部に配置される第１ガイドレール二段目部２２とを設置し、第１ガイドレール最下段部２１の上端部は、ピット１１の底面からピット内作業可能高さまでの間に配置され、第１ガイドレール二段目部２２の上端部は最下階かご上作業可能高さ以上に配置されるので、既設エレベータが稼働可能な状態で、新設エレベータの第１ガイドレール２を昇降路１に設置することができる。これにより、据付負荷を分散することができ、また、改修工事によるエレベータの連続停止期間を短縮することができる。
【００２３】
また、このエレベータ改修方法は、第１ガイドレール設置工程の後、既設エレベータを昇降路から撤去する既設エレベータ撤去工程と、既設エレベータ撤去工程の後、新設エレベータの第２ガイドレール３を設置する第２ガイドレール設置工程とを備え、第２ガイドレール設置工程では、第２ガイドレール最下段部３１と、第２ガイドレール最下段部３１の上端部に配置される第２ガイドレール二段目部３２とを設置し、第２ガイドレール最下段部３１の上端部は、ピット内作業可能高さ以上に配置されるので、巻上機４を第２ガイドレール最下段部３１に容易に取り付けることができる。
【００２４】
また、このエレベータ改修方法は、第１ガイドレール二段目部２２の上端部の高さが、第２ガイドレール二段目部３２の上端部の高さと一致しているので、第１ガイドレール三段目部２４と第２ガイドレール三段目部３４とを同じ長さにすることができる。
【００２５】
また、この発明の実施の形態１に係るエレベータガイドレールによれば、昇降路１に立てられる第１ガイドレール２と、第１ガイドレール２に対向して設けられ、昇降路１に立てられる第２ガイドレール３とを備え、第１ガイドレール２は、第１ガイドレール最下段部２１と、第１ガイドレール最下段部２１の上端部に配置される第１ガイドレール二段目部２２とを有し、第１ガイドレール最下段部２１の上端部は、ピット１１の底面からピット内作業可能高さまでの間に配置され、第１ガイドレール二段目部２２の上端部は最下階かご上作業可能高さ以上に配置されるので、既設エレベータが稼働可能な状態で、新設エレベータの第１ガイドレール２を昇降路１に設置することができる。これにより、据付負荷を分散することができ、また、改修工事によるエレベータの連続停止期間を短縮することができる。
【００２６】
また、このエレベータガイドレールは、第２ガイドレール３が、第２ガイドレール最下段部３１と、第２ガイドレール最下段部３１の上端部に配置される第２ガイドレール二段目部３２とを有し、第２ガイドレール最下段部３１の上端部は、ピット内作業可能高さ以上に配置されるので、巻上機４を第２ガイドレール最下段部３１に容易に取り付けることができる。
【００２７】
また、このエレベータガイドレールは、第１ガイドレール二段目部２２の上端部の高さが、第２ガイドレール二段目部３２の上端部の高さと一致しているので、第１ガイドレール三段目部２４と第２ガイドレール三段目部３４とを同じ長さにすることができる。
【００２８】
なお、上記実施の形態１では、既設エレベータとして、油圧エレベータを例に説明したが、その他のエレベータであってもよい。
【００２９】
また、上記実施の形態１では、新設エレベータとして、つるべ式エレベータを例に説明したが、その他のエレベータであってもよい。
【図１】
2018033988.tif 000003
【図２】
2018033988.tif 000004
【図３】
2018033988.tif 000005
【図４】
2018033988.tif 000006
【図５】
2018033988.tif 000007
【図６】
2018033988.tif 000008
【国際調査報告】
2018033988.tif 000009
2018033988.tif 000010